(57)【要約】【課題】  容器へ液体を投入する投入口を設けることにより、簡便にファンの評価をすることを可能とする。  【解決手段】  本発明では、駆動可能なファンが内部に配置された容器と、前記容器へ液体を投入する投入口と、前記容器から排出される液体を受ける受け口と、を備えることを特徴とするファン評価装置である。  また、駆動可能なファンが内部に配置された容器へ、液体を投入する工程と、前記ファンを駆動させる工程と、前記容器から排出される液体を受ける工程と、を備えることを特徴とするファン評価方法である。・【選択図】  図１
2007016677.tif 000002
【特許請求の範囲】
【請求項１】
駆動可能なファンが内部に配置された容器と、前記容器へ液体を投入する投入口と、前記容器から排出される液体を受ける受け口と、を備えることを特徴とするファン評価装置。
【請求項２】
駆動可能なファンが内部に配置された容器へ、液体を投入する工程と、前記ファンを駆動させる工程と、前記容器から排出される液体を受ける工程と、を備えることを特徴とするファン評価方法。
【発明の詳細な説明】
【技術分野】
【０００１】
本発明は、ファンの評価装置およびファン評価方法に関する発明である。 
【背景技術】
【０００２】
換気性能などの評価などを行うやり方として従来は、トレーサガスなどを利用して行うやり方、または装置はあった。（例えば、特許文献１参照。）。 
キッチンなどの厨房装置において、ファンなどを用いた換気装置の場合、ファンの下方に煙を持ってくる、あるいは加熱調理台をファンの下方に持ってきて油などを実際に加熱させる必要があった。すると自ずとファン自体を高い位置にセットしなければならず、ファン動作の確認が非常にやりにくかった。またファンの下方にそのための空間を用意していなければならないなどの問題があった。
【０００３】
【特許文献１】特開２００３−４２５０６号公報
【発明の開示】
【発明が解決しようとする課題】
【０００４】
本発明は、上記問題を解決するためになされたもので、本発明の課題は、簡便にファンの評価を可能とすることである。
【課題を解決するための手段】
【０００５】
上記目的を達成するために請求項１記載の発明によれば、駆動可能なファンが内部に配置された容器と、前記容器へ液体を投入する投入口と、前記容器から排出される液体を受ける受け口と、を備えることを特徴とするファン評価装置である。
【０００６】
また、請求項２記載の発明のよれば、駆動可能なファンが内部に配置された容器へ、液体を投入する工程と、前記ファンを駆動させる工程と、前記容器から排出される液体を受ける工程と、を備えることを特徴とするファン評価方法である。
【発明の効果】
【０００７】
本発明によれば、簡便にファンの評価ができるという効果がある。
【実施例】
【０００８】
図１に本発明の第１実施例であるファン評価装置１を示す。
このファン評価装置１は、内部にファン１０を備える円筒形状の透明な容器２０が台７０の上に配置され構成されている。容器２０には上部にファン１０を回転させるモーター部３０と容器２０内へ水などを投入する投入口４０を備えている。
また容器２０の側方の内壁には複数の凸状部９０が縦方向に形成されている。また容器の底部には開口部６０があり、図示しない経路を経て台７０の下方にある受け口へ連通している。
また台７０の手前にはファン１０を駆動させるモーター部３０を制御するスイッチ８０が配置されている。なお駆動に関しては１００Ｖ電源を利用している。
更に本実施例ではファンとしてシロッコファンを用いており、モーター部３０とシロッコファンが図示しない軸により連結されており、モーター部の動きに応じてシロッコファンが容器２０内で回転するようになっている。
【０００９】
次に図１、図２をもとにファン評価装置１の使用方法について説明する。
電源が入った状態において、スイッチ８０をオンにすると、モーター部３０が回転することにより、容器２０内でファン１０が円周方向に回転する。その状態で容器上方にある投入口４０より水を投入する。すると図２に示す状態となる。すなわち投入された水はファン１０の白抜き矢印方向の回転によりファン自体の縦軸にぶつかり、容器２０の内壁に水滴の形で付着する。なお本実施例では容器２０の内壁に複数の凸状部９０を設けており、内壁に付着した水滴は凸状部を伝って容器底部へ集まりやすいようになっている。
すると透明な容器20の内壁に付着した水滴を外部から見ることが出来、ファンの性能を目視により認識することができる。
【００１０】
さらに、ここで本実施例では台７０において開口部６０に対してテーパ形状となっている。よって最終的に投入した水は容器底部にある開口部６０へ集まる。すると図示しない台７０内部にある開口部６０と受け口５０をつなぐ管路を通り、受け口７０に投入された水がたどり着く。
【００１１】
よって、容器内に設けられたファンの性能を受け口に集まった水を見ることにより認識することが可能となる。
【００１２】
ここでこれまでのファン評価の不具合としては、次のことがあった。
ファンの評価を行う際にはこれまではファンの下方に煙を持ってくる、あるいは加熱調理台を持ってきて油などを加熱させる必要があった。すると自ずとファン自体を高い位置にセットしなければならず、ファン動作の確認が非常にやりにくかった。またファンの下方にそのための空間を用意していなければならなかった。
【００１３】
本実施例ではファンの下方に何ら加熱調理台などを準備する必要がなく、さらに加熱物を取り扱うこともなく簡便にファン評価を可能とした。したがって、ショールームなど火気が使えないような状態での、お客様に対するファン評価装置として大変利便性の高いものである。
【００１４】
ここでショールームなどで第１実施例に示すファン評価装置を配置する一例について説明する。
図３、および図４に配置の実施例の正面図および側面図を示す。
上方の左右に新型フード１００、従来型フード１１０を並べて配置する。その下方にはキッチンのカウンター１３０を配置し左側にはシンク１２０がセットされている。なお本例ではシンクの右側のみにコート剤を塗布しており、シンクの左右でコート剤あり,なしの状態になっている。
そのような状態のもと、第１実施例に示すファン評価装置１は台車１４０に戴置され、カウンター１３０の下方に配置される。なお図３においてシンクに設けられている水栓１５０は省略した。
【００１５】
上記のように比較するフード、比較するシンクの近傍に第１実施例に示すファン評価装置を配置することで、比較物が展示物としてユニット化されており、ショールームなどでお客様に対してキッチン全体の比較提案も可能となる。
【図面の簡単な説明】
【００１６】
【図１】本発明の第１実施例のファン評価装置を示す概略図である。
【図２】本発明の第１実施例のファン評価装置のファン動作を示す説明図である。
【図３】本発明のファン評価装置が配置された展示ユニットの正面図である。
【図４】本発明のファン評価装置が配置された展示ユニットの側面図である。
【符号の説明】
【００１７】
１…ファン評価装置
１０…ファン
２０…容器
３０…モーター部
４０…投入口
５０…受け口
６０…開口部
７０…台
８０…スイッチ
９０…凸状部
１００…新型フード
１１０…従来型フード
１２０…シンク
１３０…カウンター
１４０…台車
１５０…水栓
２００…水滴
【図１】
2007016677.tif 000003
【図２】
2007016677.tif 000004
【図３】
2007016677.tif 000005
【図４】
2007016677.tif 000006